(57)【要約】【課題】少ない部品点数で清掃部材の移動動作と開閉検出器の検出動作とをカバー部材の開閉動作に連動させることができる画像形成装置を提供する。【課題手段】画像形成装置１は、トナー像が担持される像担持体２４を収容する筐体２に設けられる開口２ａを開閉するカバー部材１０と、カバー部材１０の開閉状態を検出する開閉検出器１１と、トナー像の濃度を検出する濃度センサー３８と、濃度センサー３８の検出部３８ａを清掃する清掃部材６２と、カバー部材１０と開閉検出器１１及び清掃部材６２との間に介装される一つの伝達機構７０と、を備える。カバー部材１０の開閉動作時に、伝達機構７０を介して開閉検出器１１がカバー部材１０の開閉状態を検出すると共に清掃部材６２が検出部３８ａを清掃するように動作する。【選択図】図４
2017181682.tif 000002
【特許請求の範囲】
【請求項１】
トナー像が担持される像担持体を収容する筐体に設けられる開口を開閉するカバー部材と、
該カバー部材の開閉状態を検出する開閉検出器と、
前記トナー像の濃度を検出する濃度センサーと、
該濃度センサーの検出部を清掃する清掃部材と、
前記カバー部材と前記開閉検出器及び前記清掃部材との間に介装される一つの伝達機構と、を備え、
前記カバー部材の開閉動作時に、前記伝達機構を介して、前記開閉検出器が前記カバー部材の開閉状態を検出すると共に前記清掃部材が前記検出部を清掃するように動作することを特徴とする画像形成装置。
【請求項２】
前記像担持体に前記トナー像を形成する現像装置を備え、
前記開口は、前記現像装置に供給されるトナーが収容されるトナーコンテナを着脱するための開口であることを特徴とする請求項１に記載の画像形成装置。
【請求項３】
前記伝達機構は、
一端が前記カバー部材に当接可能に設けられ、他端が前記開閉検出器に対向して配置されて、往復移動可能に設けられるスライド部材と、
前記スライド部材に一端が枢支され、該一端より他端側の支軸を中心として回転可能に支持される回転部材と、
前記清掃部材を支持し、該清掃部材が前記検出部に沿う方向に移動するように往復移動可能に設けられると共に、前記回転部材の他端が枢支される支持部材と、
を備え、
前記カバー部材によって前記開口が開かれると、前記スライド部材の一端が前記開口から突出して前記スライド部材の他端が前記開閉検出器から離間する方向に移動することで、該開閉検出器が前記カバー部材の開状態を検出すると共に、前記スライド部材の移動によって前記回転部材が前記支軸を中心として一回転方向に回転して前記支持部材を一方向に直線方向に移動させることで、前記清掃部材が前記検出部に沿って移動して該検出部を清掃し、
前記カバー部材によって前記開口が閉じられると、前記スライド部材の一端に前記カバー部材が当接して前記スライド部材の他端が前記開閉検出器に近接する方向に移動することで、該開閉検出器が前記カバー部材の閉状態を検出すると共に、前記スライド部材の移動によって前記回転部材が前記支軸を中心として前記一回転方向の反対の方向に回転して前記支持部材を前記一方向の反対方向に直線移動させることで、前記清掃部材が前記検出部に沿って移動して該検出部を清掃することを特徴とする請求項１又は２に記載の画像形成装置。
【請求項４】
前記支持部材は、前記検知部を遮蔽するように設けられるシャッター部材であり、
該シャッター部材は、前記カバー部材によって前記開口が閉じられた際には、前記検出部に対向して前記トナー濃度の検出が可能となるスリットを有し、該スリットが前記検出部に対向する検出位置と、前記スリットが前記検出部から離間した遮蔽位置と、の間を往復移動可能に設けられると共に、前記遮蔽位置に向かう方向に付勢されており、
前記清掃部材は、前記シャッター部材が前記検知位置から前記遮蔽位置への向かう方向において前記スリットの手前側に設けられていることを特徴とする請求項３に記載の画像形成装置。
【発明の詳細な説明】
【技術分野】
【０００１】
本発明は、カバー部材の開閉検出器及びトナー濃度センサーを備えた画像形成装置に関する。  
【背景技術】
【０００２】
カラー対応の画像形成装置では、複数の感光体ドラムに作像ユニットによって異なる色のトナー像を形成し、各色のトナー像を中間転写ベルトに一次転写してフルカラーのトナー像を形成している。トナー像の濃度と位置を高精度で調整するために、中間転写ベルトのトナー像の濃度と位置をＩＤセンサー（濃度センサー）で計測し、計測結果に基づいて作像ユニットが制御されている。
【０００３】
トナー像の濃度や位置を非接触で計測するために、ＩＤセンサーとして、光反射型のセンサーが使用される場合が多い。光反射型センサーは光を透過させる検出部を有している。検出部にトナーなどの異物が付着すると正確な計測が行われないので、検出部は清掃部材によって清掃されるようになっている。特許文献１に記載されている画像形成装置は、トナーコンテナ交換用に設けられた開口を開閉するカバー部材の開閉動作に連動して移動する清掃部材を備えており、カバー部材の開閉動作毎に、清掃部材によってＩＤセンサーの検出部が清掃されるようになっている。
【０００４】
一方で、トナーコンテナ交換用の開口内に、電源と接続される導通部材が配置されていると、開口が開かれると導通部材が露出する場合があるので、画像形成装置には、開口の開閉状態を検出する開閉検出器が備えられているのが一般的である。そして、開閉検出器によって開口の開状態が検出されると、電源から導通部材への電圧の供給が遮断されるようになっている。特許文献２には、開閉検出器が、カバー部材の開閉動作と連動するように構成されている画像形成装置が記載されている。
【先行技術文献】
【特許文献】
【０００５】
【特許文献１】特開２０１１−２３２５０１号公報
【特許文献２】特開２００８−１９１５７８号公報
【発明の概要】
【発明が解決しようとする課題】
【０００６】
特許文献１や特許文献２に記載されているように、清掃部材及び開閉検出器は双方ともカバー部材の開閉動作に連動しているが、清掃部材と開閉検出器とは設置される場所が離れている場合が多いので、カバー部材との間にそれぞれ別のリンク部材が介装されている。すると、部品点数が増えたり、それぞれのリンク部材の設置個所を確保するスペースが必要になって大型化したりするという問題がある。
【０００７】
本発明は上記事情を考慮し、少ない部品点数で清掃部材の移動動作と開閉検出器の検出動作とをカバー部材の開閉動作に連動させることができる画像形成装置を提供することを目的とする。
【課題を解決するための手段】
【０００８】
上記目的を達成するため、本発明の画像形成装置は、トナー像が担持される像担持体を収容する筐体に設けられる開口を開閉するカバー部材と、該カバー部材の開閉状態を検出する開閉検出器と、前記トナー像の濃度を検出する濃度センサーと、該濃度センサーの検出部を清掃する清掃部材と、前記カバー部材と前記清掃部材及び前記開閉検出器との間に介装される一つの伝達機構と、を備え、前記カバー部材の開閉動作時に、前記伝達機構を介して前記開閉検出器が前記カバー部材の開閉状態を検出すると共に前記清掃部材が前記検出部を清掃することを特徴とする。
【０００９】
このような構成を採用することにより、一つの伝達機構によってカバー部材の開閉動作に連動して、清掃部材をスライドさせて検出部を清掃できると共に、開閉検出器を切り替えることができるので、部品点数を削減できる。
【００１０】
本発明の画像形成装置において、前記像担持体に前記トナー像を形成する現像装置を備え、前記開口は、前記現像装置に供給されるトナーが収容されるトナーコンテナを着脱するための開口であることを特徴としても良い。
【００１１】
このような構成を採用することにより、適宜な頻度で検出部を清掃することができる。
【００１２】
本発明の画像形成装置において、前記伝達機構は、一端が前記カバー部材に当接可能に設けられ、他端が前記開閉検出器に対向して配置されて、往復移動可能に設けられるスライド部材と、前記スライド部材に一端が枢支され該一端より他端側の支軸を中心として回転可能に支持される回転部材と、前記清掃部材を支持し、該清掃部材が前記検出部に沿う方向に移動するように往復移動可能に設けられると共に、前記回転部材の他端が枢支される支持部材と、を備え、前記カバー部材によって前記開口が開かれると、前記スライド部材の一端が前記開口から突出して前記スライド部材の他端が前記開閉検出器から離間する方向に移動することで、該開閉検出器が前記カバー部材の開状態を検出すると共に、前記スライド部材の移動によって前記回転部材が前記支軸を中心として一回転方向に回転して前記支持部材を一方向に直線移動させることで、前記清掃部材が前記検出部に沿って移動して該検出部を清掃し、前記カバー部材によって前記開口が閉じられると、前記スライド部材の一端に前記カバー部材が当接して前記スライド部材の他端が前記開閉検出器に近接する方向に移動することで、該開閉検出器が前記カバー部材の閉状態を検出すると共に、前記スライド部材の移動によって前記回転部材が前記支軸を中心として前記回転方向の反対方向に回転して前記支持部材を前記一方向の反対方向に直線移動させることで、前記清掃部材が前記検出部に沿って移動して該検出部を清掃することを特徴としても良い。
【００１３】
このような構成を採用することにより、伝達機構の構成を簡易にできる。
【００１４】
本発明の画像形成装置において、前記支持部材は、前記検知部を遮蔽するように設けられるシャッター部材であり、該シャッター部材は、前記カバー部材によって前記開口が閉じられた際には、前記検出部に対向して前記トナー濃度の検出が可能となるスリットを有し、該スリットが前記検出部に対向する検出位置と、前記スリットが前記検出部から離間した遮蔽位置と、の間を往復移動可能に設けられると共に、前記遮蔽位置に向かう方向に付勢されており、前記清掃部材は、前記シャッター部材が前記検知位置から前記遮蔽位置への向かう方向において前記スリットの手前側に設けられていることを特徴としても良い。
【００１５】
このような構成を採用することにより、清掃部材を往復移動させるための部材をシャッター部材で兼用できるので、部品点数を削減できる。
【発明の効果】
【００１６】
本発明によれば、一つの伝達機構でカバー部材の開閉動作に連動して、清掃部材をスライドさせて検出部を清掃できると共に、開閉検出器を切り替えることができるので、部品点数を削減できる。
【図面の簡単な説明】
【００１７】
【図１】本発明の一実施形態に係るカラープリンターの斜視図である。
【図２】本発明の一実施形態に係るカラープリンターの右側面カバーを開いた状態を示す斜視図である。
【図３】本発明の一実施形態に係るカラープリンターの全体の構成を模式的に示す正面図である。
【図４】本発明の一実施形態に係るカラープリンターにおいて、右開口閉鎖時の開閉検出器及びＩＤセンサーを示す図である。
【図５】本発明の一実施形態に係るカラープリンターにおいて、右開口開放時の開閉検出器及びＩＤセンサーを示す図である。
【図６】本発明の一実施形態に係るカラープリンターにおいて、清掃部材の清掃動作を説明する図である。
【発明を実施するための形態】
【００１８】
以下、添付の図面を参照しつつ、本発明の一実施形態に係る画像形成装置について説明する。
【００１９】
まず、図１〜図３を参照して、画像形成装置としてのカラープリンター１の全体の構成について説明する。図１はカラープリンターの斜視図、図２は右側面カバーを開いたカラープリンターを示す斜視図、図３はカラープリンターの概略を示す模式図である。以下の説明において、図１に示す前後方向をカラープリンター１の前後方向とし、左右方向は、カラープリンター１を前側から見た方向を基準とする。
【００２０】
図１に示されるように、カラープリンター１は、箱型形状の筐体２を備えている。筐体２の上面には、排紙口４と、排紙口４の下方に設けられた排紙トレイ５、とが形成されている。
【００２１】
図２に示されるように、筐体２の右側面には右開口２ａが形成されている。右開口２ａの内側には、４色のトナーをそれぞれ収容したトナーコンテナ７が着脱されるトナーコンテナ着脱部８が設けられている。右開口２ａは、後端部を中心として回動可能に支持される右側面カバー１０によって開閉される。右開口２ａの内側の後端部には、右側面カバー１０の開閉状態を検知する開閉検出器１１が設けられている。
【００２２】
また、図３に示されるように、筐体２の後側面には、後開口２ｂが形成されている。後開口２ｂの内側には搬送ユニット１２が下端部を中心として回動可能に支持されている。搬送ユニット１２の外側には、後開口２ｂを開閉するリアカバー１３が下端部を中心として回動可能に支持されている。
【００２３】
筐体２の下部には、用紙Ｓが収容される給紙カセット１５が着脱可能に収容され、給紙カセット１５から用紙Ｓを給紙する給紙装置１６が設けられている。給紙カセット１５の上方には露光装置１９が設けられている。露光装置１９の上方には、中間転写ユニット２１と、中間転写ユニット２１の下方に前後方向に並んで配置される４つの画像形成ユニット２２と、が設けられている。中間転写ユニット２１は、回転可能に支持される像担持体としての中間転写ベルト２４と、中間転写ベルト２４の内側に前後方向に並んで配置される４つの一次転写ローラー２５と、を有している。
【００２４】
４つの画像形成ユニット２２は、回転可能に設けられる感光体ドラム２７と、感光体ドラム２７の周囲に、感光体ドラム２７の回転方向に沿って配置される帯電器２８と、現像装置２９と、クリーニング装置３０と、除電装置３１と、をそれぞれ有している。感光体ドラム２７は、現像装置２９とクリーニング装置３０との間で中間転写ベルト２４と介して一次転写ローラー２５と対向しており、中間転写ベルト２４と感光体ドラム２７との間に一次転写部３３を形成している。各画像形成ユニット２２は、それぞれ対応する色のトナーが収容されたトナーコンテナ７に接続しており、トナーコンテナ７から現像装置２９にトナーが供給される。
【００２５】
中間転写ユニット２１の後方には、二次転写ローラー３５が搬送ユニッ１２に回転可能に支持されており、中間転写ベルト２４と二次転写ローラー３５との間に二次転写部３６を形成している。二次転写部３６の下方には、中間転写ベルト２４の幅方向に間隔を開けて２個のＩＤセンサー３８が、中間転写ベルト２４に対向して配置されている。ＩＤセンサー３８は、例えば光センサーであり、中間転写ベルト２４に転写されたトナー像の濃度と位置とを計測する。二次転写部３６の上方には、定着装置４１が備えられており、定着装置４１の上方には、排紙口４に面する排紙装置４２が備えられている。
【００２６】
さらに、筐体２の内部には、用紙Ｓの主搬送経路４４と両面印刷経路４５とが形成されている。主搬送経路４４は、給紙装置１６から二次転写部３６と定着装置４１とを通って排出装置４２へ向かうように、搬送ユニット１２の内側に形成されている。両面印刷経路４５は、主搬送経路４４の搬送方向における定着装置４１の下流側から分岐して、給紙装置１６の下流側で主搬送経路４４に合流するように、搬送ユニット１２とリアカバー１３との間に形成されている。
【００２７】
次に、このような構成を備えたカラープリンター１の画像形成動作について説明する。まず、各画像形成ユニット２２において、帯電器２８によって感光体ドラム２７の表面が帯電された後、露光装置１９からのレーザー光により感光体ドラム２７に対して画像データに対応した露光が行われ、感光体ドラム２７の表面に静電潜像が形成される。静電潜像は、現像装置２９によってトナー像に現像され、トナー像は一次転写部３３で中間転写ベルト２４に転写される。感光体ドラム２７上に残留したトナーと電荷は、それぞれクリーニング装置３０と除電装置３１とで除去される。各画像形成ユニット２２で形成されたトナー像が中間転写ベルト２４上で重ね合されることで、中間転写ベルト２４にフルカラーのトナー像が形成される。このように形成されたトナー像は、ＩＤセンサー３８によって濃度と位置とが計測される。そして、この計測結果に基づいて、現像装置２９や露光装置１９を調整して、トナー像の濃度と位置とが調整される。
【００２８】
一方、給紙装置１６によって給紙カセット１５から給紙された用紙Ｓは、上記したトナー像形成動作とタイミングを合わせて主搬送経路４４に沿って二次転写部３６へ搬送され、二次転写部３６において中間転写ベルト２４上のトナー像が用紙に二次転写される。トナー像を二次転写された用紙は、主搬送経路４４を下流側へと搬送されて定着装置４１に進入し、定着装置４１において用紙にトナー像が定着される。トナー像が定着された用紙Ｓは、排紙装置４２から排紙トレイ５に排出される。両面印刷が行われる場合は、一方の面に画像が形成された用紙Ｓは主搬送経路４４から両面印刷経路４５に分岐し、両面印刷経路４５を通って搬送され、主搬送経路４４に合流して、同様に画像形成が行われる。
【００２９】
次に、図３と図４〜図６を参照して、開閉検出器１１とＩＤセンサー３８とについて説明する。図４と図５は、開閉検出器とＩＤセンサーとを示す図であり、図４は右開口が閉じた状態、図５は右開口が開いた状態を示す。図６はＩＤセンサーの清掃動作を説明する図である。
【００３０】
図３に示されるように、最も後側に配置された画像形成ユニット２２と搬送ユニット１２の間には、横長の長方形状のベース部材５１が設けられている。開閉検出器１１とＩＤセンサー３８とは、ベース部材５１に支持されている。
【００３１】
図４と図５に示されるように、開閉検出器１１は、直方体状の本体部５５と、本体部５５の側面から突出するスイッチ部５６と、を備えている。スイッチ部５６は、所定の荷重で押圧されることで押し込み可能であると共に、押圧を解除すれば自由姿勢に自動復帰する。本体部５５は、スイッチ部５６が右方を向く姿勢でベース部材５１の下縁の左右方向のほぼ中央に支持されて、スイッチ部５６が左右方向に押圧及び押圧解除されるようになっている。
【００３２】
スイッチ部５６が押圧されると開閉検出器１１がオン状態に切り替わり、右側面カバー１０が閉状態であることが検出され、スイッチ部５６の押圧が解除されて自由姿勢に自動復帰すると、開閉検出器１１はオフ状態に切り替わり、右側面カバー１０が開状態であることが検出される。右側面カバー１０が閉状態であることが検出されると、電源からの電圧の供給が開始されて、画像形成作業が可能となる。一方、右側面カバー１０が開状態であることが検出されると、電源からの電圧の供給が遮断されて、画像形成作業が不可能となる。
【００３３】
ＩＤセンサー３８は光センサーであって、光を照射する発光部と、反射光を受光する受光部とを有し、図６に示されるように、上面には照射光及び反射光を透過させる透過窓状の検出部３８ａが形成されている。ＩＤセンサー３８は、検出部３８ａが上向きの姿勢で、図４や図５に示されるように、中間転写ベルト２４の幅方向両端部に対応するように、ベース部材５１の上端部に支持されている。
【００３４】
ベース部材５１には、ＩＤセンサー３８の検出部３８ａを遮蔽するシャッター部材６０が支持されている。シャッター部材６０は、断面形状が下方に開口したコの字状を有し、図４や図５に示されるように、ベース部材５１の上縁に沿う方向に長い部材である。シャッター部材６０には、各ＩＤセンサー３８の検出部３８ａとほぼ等しい寸法のスリット６１が形成されている。さらに、シャッター部材６０の下面には、長さ方向に沿った各スリット６１の一方の側（右側）に清掃部材６２が設けられている。清掃部材６２は、例えば、スポンジ状部材やブラシ状部材である。
【００３５】
シャッター部材６０は、ベース部材５１の上縁に沿って直線上に往復移動可能に支持されている。シャッター部材６０は、各ＩＤセンサー３８の検出部３８ａと各スリット６１とが上下方向に対応して、各スリット６１を通して光の照射及び受光が可能となる検知位置（図４、図６（Ａ）参照）と、各ＩＤセンサー３８の検出部３８ａから各スリット６１が離間して各検出部３８ａが覆われる遮蔽位置（図５、図６（Ｃ）参照）と、の間を往復移動する。このようにシャッター部材６０が往復移動すると、清掃部材６２は検出部３８ａに沿って移動して検出部３８ａの表面を摺擦する。さらに、シャッター部材６０の長さ方向中央部よりもやや左寄りの位置とベース部材５１との間には、シャッター部材６０を、遮蔽位置に向けて付勢する付勢部材としてのコイルばね６４が介装されている。
【００３６】
図４と図５に示されるように、右側面カバー１０と、開閉検出器１１及び清掃部材６２と、の間には、右側面カバー１０の開閉動作を、開閉検出器１１の切り替え動作及び清掃部材６２の清掃動作に伝達する伝達機構７０が介されている。伝達機構は、シャッター部材６０と、右側面カバー１０と開閉検出器１１との間に設けられるスライド部材７１と、スライド部材７１とシャッター部材６０とを連結する回転部材７２と、で構成される。
【００３７】
スライド部材７１は、左端面が開閉検出器１１のスイッチ部５６に対向し、右端面が右側面カバー１０で当接可能に配置されて、ベース部材５１の下端縁に沿って直線上に往復移動可能に支持されている。
【００３８】
回転部材７２は、長さ方向のほぼ中央部に設けられた支軸７４を中心として、ベース部材５１に回転可能に支持されている。回転部材７２の下端は、スライド部材７１の左端部に回転可能に連結され、上端は、シャッター部材６０の長さ方向の中央部よりもやや右寄りの位置に回転可能に連結されている。
【００３９】
上記構成を有するカラープリンター１において、右開口２ａが閉じられた状態では、図４に示されるように、スライド部材７１の右端面は右側面カバー１０に当接して、スライド部材７１の左端面が開閉検出器１１のスイッチ部５６を押圧している。これにより開閉検出器１１はオン状態に切り替わり、右開口２ａが閉鎖されたことが検知されて、画像形成作業が可能となっている。
【００４０】
また、シャッター部材６０はコイルばね６４の付勢力に抗して検知位置にスライドしている。検知位置においては、図６（Ａ）に示されるように、シャッター部材６０の各スリット６１を通してＩＤセンサー３８の検出部３８ａによるトナー像の濃度と位置との計測が可能となっている。また、清掃部材６２は検出部３８ａの右側に離間している。
【００４１】
トナーコンテナ７の交換時に右側面カバー１０が開かれると、スライド部材７１は自由に往復移動可能となる。すると、シャッター部材６０はコイルばね６４で付勢されて遮光位置にスライドし、回転部材７２を介してスライド部材７１を右方向にスライドさせる。これにより、図５に示されるように、スライド部材７１は、左端面が開閉検出器１１のスイッチ部５６から離間して開閉検出器１１はオフ状態に切り替わり、右開口２ａが開かれたことが検知されて、画像形成作業が不可能となる。また、スライド部材７１の右端面は右開口２ａからに突出する。
【００４２】
そして、シャッター部材６０が検知位置から遮光位置にスライドする間、図６（Ａ）、図６（Ｂ）、図６（Ｃ）に順に示されるように、清掃部材６２が検出部３８ａの表面を摺擦しながら左方向に移動する。
【００４３】
トナーコンテナ７の交換が終了して右側面カバー１０が閉じられると、スライド部材７１の右端面に右側面カバー１０が当接して押圧され、スライド部材７１が左方向にスライドする。すると、スライド部材７１の左端面が開閉検出器１１のスイッチ部５６を押圧して、開閉検出器１１がオン状態に切り替わる。また、スライド部材７１が左方向へスライドすると、回転部材７２は支軸７４を中心として反時計回り方向に回転して、シャッター部材６０をコイルばね６４の付勢力に抗して遮光位置から検知位置にスライドさせる。そして、シャッター部材６０は、図６（Ｃ）、図６（Ｂ）、図６（Ａ）に順に示されるように、清掃部材６２が検出部３８ａの表面を摺擦しながら右方向に移動する。このように、右側面カバー１０の開閉動作によって、清掃部材６２が往復移動しながら検出部３８ａを摺擦することで、検出部３８ａが清掃される。
【００４４】
上記したように本発明のカラープリンター１によれば、一つの伝達機構７０によって右側面カバー１０の開閉動作に連動して、清掃部材６２をスライドさせてＩＤセンサー３８の検出部３８ａを清掃できると共に、開閉検出器１１を切り替えることができるので、部品点数を削減できる。また、伝達機構７０において、回転部材７２の支軸７４の上下方向の位置を調整することにより、スイッチ部５６の押圧距離と清掃部材３８の移動距離を適宜変更可能であるため、設計時に各部材の選択幅が広がったり、各部材の配置の自由度が高くなったりするという利点がある。
【００４５】
また、トナーコンテナ７の交換時に右側面カバー１０が開閉されることで検出部３８ａが清掃されるので、画像形成作業が進行して検出部３８ａの清掃が必要となる適宜なタイミングで、検出部３８ａを清掃することができる。なお、本実施形態では、開閉検出器１１の切り替え動作及びＩＤセンサー３８の検出部３８ａの清掃動作を、伝達機構７０を介して右側面カバー１０の開閉動作と連動させたが、右側面カバー１０ではなくリアカバー１３の開閉動作と連動させることもできる。この場合は、主搬送経路４４や両面搬送経路４５で紙詰まりが生じてリアカバー１３を開閉する際に、検出部３８ａを清掃部材６２で清掃させるように伝達機構７０を形成する。
【００４６】
さらに、本実施形態では、清掃部材６２をシャッター部材６０に設けたが、清掃部材６２を支持する支持部材を単独で設けて、この支持部材を伝達機構７０を介して往復移動させてもよい。また、本実施形態では、清掃部材６２を往復移動するように設けたが、清掃部材６２を一方向に移動させるだけでも検出部３８ａの清掃は可能である。
【００４７】
さらに、本実施形態では、スライド部材７１を右側面カバー１０と当接可能に設けたが、シャッター部材６０を右側面カバー１０と当接可能に設けてもよい。この場合、右側面カバー１０の開閉動作によってシャッター部材６０が往復移動すると、回転部材７２によってスライド部材７１が往復移動して開閉検出器１１をオン状態とオフ状態とに切り替える。あるいは、シャッター部材６０の右端面を右側面カバー１０と当接可能に設けて、開閉検出器１１をシャッター部材６０の左端面に当接するように設けてもよい。この場合、シャッター部材６０のみで、開閉検出器１１の切り替え動作と清掃部材６２の清掃動作とを行うことができる。
【００４８】
さらに、本実施形態では、シャッター部材６０を遮蔽位置の方向に付勢するコイルばね６４をシャッター部材６０とベース部材５１との間に設けたが、回転部材７２とベース部材６１との間に設けても良い。あるいは、スライド部材７１とベース部材５１との間に、スライド部材７１の右端面が右開口２ａから突出するように付勢するコイルばねを設けてもよい。
【００４９】
さらに、本実施形態では、伝達機構７０として、スライド部材７１と回転部材７２とシャッター部材６０とで構成されるリンク機構を適用したが、リンク機構以外にギアやベルトを用いた機構を適用することができる。また、右側面カバー１０の開閉状態を検出するために、スイッチ部５６の押圧及び押圧解除によって開閉状態を検出する開閉検出器１１を使用したが、スライド部材７１の位置を検出する光センサーを用いることもできる。
【００５０】
さらに、本発明の実施形態では、カラープリンター１に本発明の構成を適用した場合について説明したが、他の異なる実施形態では、複写機、ファクシミリ、複合機等のプリンター１以外の画像形成装置に本発明の構成を適用しても良い。
【００５１】
さらに、上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５２】
１  カラープリンター（画像形成装置）
２  筐体
２ａ  右開口（開口）
７  トナーコンテナ
８  トナーコンテナ着脱部
１０  右側面カバー（カバー部材）
１１  開閉検出器
２４  中間転写ベルト（像担持体）
２９  現像装置
３８  ＩＤセンサー（濃度センサー）
３８ａ  検出部
６０  シャッター部材
６１  スリット
６２  清掃部材
６４  コイルばね（付勢部材）
７０  伝達機構
７１  スライド部材
７２  回転部材
【図１】
2017181682.tif 000003
【図２】
2017181682.tif 000004
【図３】
2017181682.tif 000005
【図４】
2017181682.tif 000006
【図５】
2017181682.tif 000007
【図６】
2017181682.tif 000008